(57)【要約】【課題】  本発明は制振免震装置に関するもので、特に小さな揺れに対しても応答性が良く、大きな揺れに対して制振免震機能を発揮できる制振免震装置である。【解決手段】  床面と上部構造物との間に設置される制振免震装置の上下各二重受皿構造又は複数重ねの上下受皿構造の中間位置に転動部材が介在されており、地震の小さな揺れに対しては転動部材の転動による免震性を生じると共に、大きな揺れに対しては内側受け皿部材による振子運動が生じて免震性を生じ、且つ、転動部材が上側受け皿部材と下側受け皿部材間の抑圧抵抗を受け、制震機能を生じるように構成した制振免震装置を提供する。【選択図】図１
2014025578.tif 000002
【特許請求の範囲】
【請求項１】
床面と上部構造物との間に設置される制震装置の上下各二重受皿構造又は複数重ねの上下受皿構造の中間位置に転動部材が介在されており、地震の小さな揺れに対しては転動部材の転動による免震性を生じると共に、大きな揺れに対しては内側受け皿部材による振子運動が生じて免震性を生じ、且つ、転動部材が上側受け皿部材と下側受け皿部材間の抑圧抵抗を受け、制震機能を生じるように構成したことを特徴とする制振免震装置。
【請求項２】
部分球面凹部又は部分非真球面凹部が形成された上側受け皿部材と、部分球面凹部又は部分非真球面凹部が形成された下側受け皿部材との間に転動部材が間挿され、該転動部材の上下凸部は、それぞれ部分球面凸部又は部分非真球面凸部に形成されており、非対称に形成されていることを特徴とする請求項１記載の制振免震装置。
【請求項３】
上側受け皿部材、下側受け皿部材の間に収納される転動部材の材質が、金属、プラスチック又はゴムで構成され、又はそれらの組み合わせで構成されていることを特徴とする請求項１記載の制振免震装置。
【請求項４】
地震の小さな揺れに対しては転動部材の転動による応答性を有し、大きな揺れに対しては転動部材が上側受け皿部材と下側受け皿部材間の部分非真球面凹部の抑圧抵抗を受け、制振機能を生じるように構成したことを特徴とする請求項１記載の制振免震装置。
【発明の詳細な説明】
【技術分野】
【０００１】  本発明は制振免震装置に関するもので、特に地震の小さな揺れに対しても応答性が良く、大きな揺れに対して制振機能を発揮できる制振免震装置に関する。
【背景技術】
【０００２】  地震の震動から構造物を保護するために、種々の免震装置が開発されているが、例えば特開２００２−２６６９３３号公報に見られるように、円錐内ボール収容型アイソレーションベアリング等が公知である。
【先行技術文献】
【特許文献１】  特開２００２−２６６９３３号公報
【０００３】  しかしながら、円錐内ボール収容型アイソレーションベアリングにおいては、地震の小さな揺れに対する応答性はよいが、装置自体には制動機能がないため揺れが納まりにくいという問題があった。
【発明の概要】
【発明が解決しようとする課題】
【０００４】  本発明は前記せる課題を解決するために鋭意研究の結果なされたものであり、地震の小さな揺れに対しても応答性が良く、大きな揺れに対して制振機能を発揮できる制振免震装置を提供するものである。
【課題を解決するための手段】
【０００５】  床面と上部構造物との間に設置される制震装置の上下各二重受皿構造又は複数重ねの上下受皿構造の中間位置に転動部材が介在されており、地震の小さな揺れに対しては転動部材の転動による免震性を生じると共に、大きな揺れに対しては内側受け皿部材による振子運動が生じて免震性を生じ、
且つ、転動部材が上側受け皿部材と下側受け皿部材間の抑圧抵抗を受け、制震機能を生じるように構成したことを特徴とし、部分球面凹部又は部分非真球面凹部が形成された上側受け皿部材と、部分球面凹部又は部分非真球面凹部が形成された下側受け皿部材との間に転動部材が間挿され、該転動部材の上下凸部は、それぞれ部分球面凸部又は部分非真球面凸部に形成されており、非対称に形成されていることを特徴とし、上側受け皿部材、下側受け皿部材の間に収納される転動部材の材質が、金属、プラスチック又はゴムで構成され、又はそれらの組み合わせで構成されていることを特徴とし、地震の小さな揺れに対しては転動部材の転動による応答性を有し、大きな揺れに対しては転動部材が上側受け皿部材と下側受け皿部材間の部分非真球面凹部の抑圧抵抗を受け、制振機能を生じるように構成したことを特徴とする制振免震装置。
【発明の効果】
【０００６】  本発明の制振免震装置によれば、地震の小さな揺れに対しては転動部材の転動による応答性を有し、大きな揺れに対しては転動部材が上側受け皿部材と下側受け皿部材間の部分非真球面凹部の抑圧抵抗を受け、制振機能を生じるように構成したので、小さな揺れから大きな揺れに移行する時でも連続して制振機能を有することができる。
【図面の簡単な説明】
【０００７】
【図１】  本発明に係る制振免震装置の要部断面図である。
【図２】  本発明に係る制振免震装置の第１の実施例を示す転動部材の斜視図である。
【図３】  図２の平面図である。
【図４】  図３の側面図である。
【図５】  制振免震装置の第２の実施例を示す転動部材の断面図である。
【図６】  図５の平面図である。
【図７】  図５の側面図である。
【図８】  制振免震装置の第３の実施例を示す転動部材の断面図である。
【図９】  図８の平面図である。
【図１０】  図８の側面図である。
【図１１】  制振免震装置の第４の実施例を示す転動部材の断面図である。
【図１２】  図１１の平面図である。
【図１３】  図１１の側面図である。
【発明を実施するための形態】
【０００８】  本発明は、床面と上部構造物との間に設置される制震装置の上下各二重受皿構造の中間位置に転動部材が介在されており、地震の小さな揺れに対しては転動部材の転動による免震性を生じると共に、大きな揺れに対しては内側受け皿部材による振子運動が生じて免震性を生じ、且つ、転動部材が上側受け皿部材と下側受け皿部材間の抑圧抵抗を受け、制震機能を生じるように構成したことを特徴とし、部分球面凹部又は部分非真球面凹部が形成された上側受け皿部材と、部分球面凹部又は部分非真球面凹部が形成された下側受け皿部材との間に転動部材が間挿され、該転動部材の上下凸部は、それぞれ部分球面凸部又は部分非真球面凸部に形成されており、非対称に形成されていることを特徴とし、上側受け皿部材、下側受け皿部材の間に収納される転動部材の材質が、金属、プラスチック又はゴムで構成され、又はそれらの組み合わせで構成されていることを特徴とし、地震の小さな揺れに対しては転動部材の転動による応答性を有し、大きな揺れに対しては転動部材が上側受け皿部材と下側受け皿部材間の部分非真球面凹部の抑圧抵抗を受け、制振機能を生じるように構成したことを特徴とする制振免震装置を提供する。
【実施例１】
【０００９】  図１乃至図４に基づいて、本発明の制振免震装置の実施例１について以下に説明する。床面１２と上部構造物１１との間に設置される制振免震ユニット１の上下各二重受皿構造の中間位置に転動部材２０が介在している。【００１０】  床面１２の上には下側凹面部受皿部材５が固定されており、上部構造物１１には上側凹面部受皿部材４が固定されている。【００１１】  下側凹面部受皿部材５の内側には下側滑動凸面部７が当接されており、上側凹面部受皿部材４の内側には上側滑動凸面部６が当接されている。【００１２】  リング型ゴム傾斜面２２とリング型ゴムフラット摩擦部２３で形成されたリング型ゴム２１の中央には鋳鉄球体３が載置され、該鋳鉄球体３はアルミ等の薄板材からなる筒体５４の中に存在しており、該筒体は鋳鉄球体３が回動するときに発生するリング型ゴム２１の極端な変形を抑える作用を有している。【００１３】  地震の小さな揺れに対しては転動部材２０の転動による免震性を生じると共に、大きな揺れに対しては上下側滑動凸面部材６，７が大きく滑動して制振免震効果を生じる。【００１４】  すなわち、上下凹面部受皿部材４，５の内側で振子運動が生じて免震性を生じ、且つ、転動部材２０が上側凹面部受皿部材４と下側凹面部受皿部材５間の抑圧抵抗を受け、制振機能を生じるように構成されている。
【実施例２】
【００１５】  図５乃至図７に基づいて、本発明の制振免震装置の実施例２について以下に説明する。まず実施例１の場合と同じように、床面１２の上には下側凹面部受皿部材５が固定されており、上部構造物１１には上側凹面部受皿部材４が固定されている。【００１６】  下側凹面部受皿部材５の内側には下側滑動凸面部７が当接されており、上側凹面部受皿部材４の内側には上側滑動凸面部６が当接されている。【００１７】  リング型ゴム稜線部３２とリング型ゴムフラット摩擦部３３で形成されたリング型ゴム３１の中央には鋳鉄球体３５が載置されており、転動部材３０を形成している。【００１８】  リング型ゴム３１の上下傘型構造は弾性ゴム３４によって連結されており、リング型ゴム３１の中央には鋳鉄球体３５が載置されており、該鋳鉄球体３５はアルミ等の薄板材からなる筒体３６の中に存在しており、該筒体３６は鋳鉄球体３５が回動するときに発生するリング型ゴム３１の極端な変形を抑える作用を有している。【００１９】  地震の小さな揺れに対しては転動部材３０の転動による免震性を生じると共に、大きな揺れに対しては上下側滑動凸面部材６，７が大きく滑動して制振免震効果を生じる。且つ転動部材３０が上側凹面部受皿部材４と下側凹面部受皿部材５間の抑圧抵抗を受け、制振機能を生じるように構成されている。
【実施例３】
【００２０】  図８乃至図１０に基づいて、本発明の制振免震装置の実施例３について説明する。
まず実施例１の場合と同じように、床面１２の上には下側凹面部受皿部材５が固定されており、上部構造物１１には上側凹面部受皿部材４が固定されている。【００２１】  下側凹面部受皿部材５の内側には下側滑動凸面部７が当接されており、上側凹面部受皿部材４の内側には上側滑動凸面部６が当接されている。【００２２】  ゴム部材４１の上下傘型構造は弾性ゴム４３によって連結されており、ゴム部材４１の中央上下頂部にはオイレス鋳鉄板４２がモールドされており、転動部材４０を形成している。【００２３】  地震の小さな揺れに対しては転動部材４０の転動による免震性を生じると共に、大きな揺れに対しては上下側滑動凸面部材６，７が大きく滑動して制振免震効果を生じる。且つ転動部材４０が上側凹面部受皿部材４と下側凹面部受皿部材５間の抑圧抵抗を受け、制振機能を生じるように構成されている。
【実施例４】
【００２４】  図１１乃至図１３に基づいて、本発明の制振免震装置の実施例４について説明する。
まず実施例１の場合と同じように、床面１２の上には下側凹面部受皿部材５が固定されており、上部構造物１１には上側凹面部受皿部材４が固定されている。【００２５】  下側凹面部受皿部材５の内側には下側滑動凸面部７が当接されており、上側凹面部受皿部材４の内側には上側滑動凸面部６が当接されている。【００２６】  ゴム部材５１の上下傘型構造は同じ材質の括れ部５３によって連結されており、金属又はプラスチック部材５１の中央上下頂部にはオイレス鋳鉄板５２がモールドされており、転動部材５０を形成している。【００２７】  地震の小さな揺れに対しては転動部材５０の転動による免震性を生じると共に、大きな揺れに対しては上下側滑動凸面部材６，７が大きく滑動して制振免震効果を生じる。且つ転動部材５０が上側凹面部受皿部材４と下側凹面部受皿部材５間の抑圧抵抗を受け、制振機能を生じるように構成されている。
【符号の説明】
【００２８】  １    制振免震ユニット
１１    上部構造物
１２    床面
２０    転動部材
２１    リング型ゴム
２２    リング型ゴム傾斜面
２３    リング型ゴムフラット摩擦部
３    鋳鉄球体
４    上側凹面部受皿部材
５    下側凹面部受皿部材
６    上側滑動凸面部
７    下側滑動凸面部
３０    転動部材
３１    リング型金属又はプラスチック
３２    リング型金属又はプラスチック稜線部
３３    リング型金属又はプラスチックフラット部
３４    弾性ゴム
３５    鋳鉄球体
３６    筒体
４０    転動部材
４１    金属又はプラスチック部材
４２    オイレス鋳鉄板
４３    弾性ゴム
５０    転動部材
５１    金属又はプラスチック部材
５２    オイレス鋳鉄板
５３    括れ部
５４    筒体
【図１】
2014025578.tif 000003
【図２】
2014025578.tif 000004
【図３】
2014025578.tif 000005
【図４】
2014025578.tif 000006
【図５】
2014025578.tif 000007
【図６】
2014025578.tif 000008
【図７】
2014025578.tif 000009
【図８】
2014025578.tif 000010
【図９】
2014025578.tif 000011
【図１０】
2014025578.tif 000012
【図１１】
2014025578.tif 000013
【図１２】
2014025578.tif 000014
【図１３】
2014025578.tif 000015